(57)【要約】【課題】簡単な構造で確実に壁に仮止めされ、紛失を防いで無駄をなくし、コンセント等の取り付け作業の効率も向上するはさみ金具を提供する。【解決手段】薄板で作られ中央に空間を有する枠形の本体２２と、本体２２の空間に突出する凸部２４と、凸部２４に形成された螺孔２６を有する。本体２２の一側面には、側面から突出する爪部３０と、爪部３０以外の部分に設けられた両面テープ３２による粘着部を備える。爪部３０は、本体２２に貼付された爪形成板２８の角部を折り曲げて立設されている。【選択図】図１
2008240797.tif 000002
【特許請求の範囲】
【請求項１】
薄板で作られ中央に空間を有する本体と、前記本体の前記空間に突出する凸部と、前記凸部に形成された螺孔が設けられ、前記本体の一側面には、前記側面に対して突出する爪部と、前記爪部以外の部分に設けられた粘着部を備えたことを特徴とするはさみ金具。
【請求項２】
前記本体の前記爪部を有する側面には、前記側面に取り付けられる矩形の爪形成板が重ねられて設けられ、前記爪部は前記爪形成板の角部を折り曲げて立設されていることを特徴とする請求項１記載のはさみ金具。
【請求項３】
前記爪部は、放射状の切断線で区切られた扇形の舌片を略直角に折り曲げて立設されていることを特徴とする請求項１記載のはさみ金具。
【請求項４】
前記爪部は前記本体から一体に形成されていることを特徴とする請求項１記載のはさみ金具。
【発明の詳細な説明】
【技術分野】
【０００１】
この発明は、壁面に配線器具（スイッチやコンセント等）を取り付ける際に、壁面の裏に取り付けてスイッチやコンセントの部材を保持するはさみ金具に関する。
【背景技術】
【０００２】
従来、壁面に配線器具を取り付けるときは、壁面に取り付け用の開口部を形成し、開口部の中に所定の配線器具を収容するアウトレットボックス（スイッチボックスを含む）等を、壁ボードを取り付ける前に壁の内側に取り付けている。しかし、アウトレットボックス等は厚みがあるため、壁面の裏に取り付けに必要な空間がない場合、又は既設の壁やスチールパーティション等工場製作品の場合、事前にアウトレットボックス等を壁内に取り付けることができなかった。このような場合、壁の裏面に図５に示すはさみ金具１を取り付けて、配線器具を保持している。はさみ金具１は、コの字形の薄板で作られた本体２が設けられ、本体２の両方の端部２ａには、中央の空間に、つまり互いに近づく方向へ突出する半円形の凸部３が設けられ、凸部３の中心には螺孔４が設けられている。
【０００３】
次に、はさみ金具１の使用方法について説明する。はさみ金具１は、壁を形成する石膏ボード等の壁面内装材である壁ボード５に配線器具を取り付ける際に、壁ボード５の裏面５ａに取り付けられるものである。まず、壁ボード５には、配線器具を取り付ける矩形の開口部６が設けられている。はさみ金具１の本体２は、開口部６の周縁部を半周するコの字形状であり、一対の端部２ａは開口部６の上端縁部６ａまたは下端縁部６ｂのそれぞれ中心に位置し、上端縁部６ａまたは下端縁部６ｂから開口部６の内側へ凸部３が突出して露出し、壁ボード５の表面５ｂ側から見ることができる。
【０００４】
壁ボード５の表面５ｂには、取付板７が取り付けられる。取付板７は、壁ボード５の開口部６に嵌合して配線器具を保持する枠体８が設けられ、枠体８の内側は配線器具を取り付ける開口部８ａとなっている。枠体８の上端縁部８ｂと下端縁部８ｃには、それぞれの中心に水平方向に長い長丸形の透孔９が設けられている。上端縁部８ａと下端縁部８ｃには、それぞれの中心に上方または下方に突出する取付部１０が各々設けられ、取付部１０の中心には円形の螺孔１１が形成されている。
【０００５】
取付板７の室内側にはカバープレート１２が取り付けられる。カバープレート１２は、壁ボード５の開口部６と、取付板７を覆う大きさの板体１３が設けられている。板体１３の、取付板７の開口部８ａに対向する部分には、配線器具のスイッチ等に対応して矩形の開口部１４が縦に１、２個形成されている。板体１３の、取付板７の螺孔１１に対向する部分に、透孔１５が形成されている。
【０００６】
次に、はさみ金具１を壁ボード５に取り付ける工程について説明する。壁ボード５の開口部６からはさみ金具１を裏面５ａ側へ入れ、一対の凸部３が開口部６の上端縁部６ａと下端縁部６ｂの中心付近から見える位置に指で押え、取付板７の透孔９とはさみ金具１の凸部３の螺孔４にネジ１６を差し込んで締め、壁ボード５を挟持して保持する。または、はさみ金具１の一方の螺孔４と取付板７の一方の透孔９をあらかじめネジ１６で仮に連結し、この状態ではさみ金具１と取付板７の角度を開きながらはさみ金具１のみを壁ボード５の開口部６から入れ、ネジ１６を締め、他方の螺孔４と透孔９にも別のネジ１６を入れて締め、保持してもよい。そして取付板７の室内側にカバープレート１２を当て、取付板７の螺孔１１とカバープレート１２の透孔１５にネジ１７を差し込んで取付板７に固定する。
【０００７】
しかし、はさみ金具１を取り付ける際に、はさみ金具１を先に壁ボード５の裏面５ａに入れる場合は、はさみ金具１を裏面５ａに当てた状態で指で押えなければならず、不用意に離して、壁ボード５の裏面５ａの下方に落下して取れなくなることがあり、取り付け作業が難しいものであった。また、はさみ金具１と取付板７をあらかじめネジ１６で仮に連結する場合も、はさみ金具１を開いて開口部６に挿入したりする必要があり、作業が面倒であった。配線器具を取り外すときも同様に、はさみ金具１が落下してしまうことがあった。
【０００８】
この問題を解決するため、特許文献１に開示されるような、バー等の壁面取り付け方法とこれに用いる取付具が開示されている。この取付具は、浴室やトイレ等の壁面に、握りバー、タオル掛け等を固定するためのバー等を取り付けるものである。壁の所要の部位に挿通孔と通孔とを設け、タコ糸を利用して固定金具を挿通孔から壁裏面に挿通し、固定金具に仮止めした止めネジを前記通孔から壁表面に引き出し、固定金具のネジ孔と通孔が合致する状態で固定金具を壁の裏面に仮固定する。その後、防水パッキン、化粧板、握りバーを当接して仮止めした止めネジで固定するものである。
【特許文献１】２００１−３２４９２号公報
【発明の開示】
【発明が解決しようとする課題】
【０００９】
上記特許文献１の場合、タコ糸やネジを取付具にあらかじめ取り付けて壁の裏面に仮固定しなければならず、工程が複雑で部品点数も多く、作業が面倒であった。従って、より簡単で確実に、はさみ金具を仮止めする方法が求められていた。
【００１０】
この発明は、上記従来の技術の問題点に鑑みてなされたものであり、簡単な構造で確実に壁に仮止めされ、紛失を防いで無駄をなくし、配線器具の取り付け作業の効率も向上するはさみ金具を提供することを目的とする。
【課題を解決するための手段】
【００１１】
本発明は、薄板で作られ中央に空間を有する枠形またはコの字状等の本体と、前記本体の前記空間に突出する凸部と、前記凸部に形成された螺孔が設けられ、前記本体の一側面には、前記側面に対して突出する爪部と、前記爪部以外の部分に設けられた粘着部を備えたはさみ金具である。
【００１２】
前記本体の前記爪部を有する側面には、前記側面に取り付けられる矩形の爪形成板が重ねられて設けられ、前記爪部は前記爪形成板の角部を折り曲げて立設されている。
【００１３】
前記爪部は、放射状の切断線で区切られた扇形の舌片を略直角に折り曲げて立設されているものでも良く、前記爪部は前記本体から一体に形成されているものでも良い。
【発明の効果】
【００１４】
本発明のはさみ金具は、簡単な構造で確実に壁に仮止めされ、簡易な作業でコンセント等を壁に取り付けることができる。さらに、はさみ金具は、確実に壁の裏面に仮止めされ、壁内への落下を防ぎ、紛失による無駄をなくすことができる。
【発明を実施するための最良の形態】
【００１５】
以下、この発明の実施形態について図面に基づいて説明する。図１〜図３はこの発明の一実施形態を示すもので、この実施形態のはさみ金具２０は、コの字形の薄板で作られた本体２２が設けられ、本体２２の両方の端部２２ａには、中央の空間に、つまり互いに近づく方向へ突出する半円形の凸部２４が設けられ、凸部２４の中心には螺孔２６が設けられている。本体２２の、互いに平行な部分には、一方向に長い矩形の爪形成板２８が設けられている。
【００１６】
爪形成板２８は、ステンレス製等の薄い金属製又は硬くて薄い樹脂製の板体であり、爪形成板２８の４個の角部は爪形成板２８に対してほぼ直角に折り曲げられて立設され、爪部３０となっている。爪形成板２８の両方の側面には、両面に粘着剤が設けられた両面テープ３２が取り付けられ、爪部３０が立設された側面の両面テープ３２は後述する壁ボード３４に粘着され、反対側の側面の両面テープ３２は本体２２に粘着されている。なおこのとき本体２２の両端部の長手方向に、爪形成板２８の長手方向がほぼ平行に位置している。
【００１７】
次に、はさみ金具２０の使用方法について説明する。はさみ金具２０は、壁を形成する壁ボード３４に配線器具を取り付ける際に、壁ボード３４の裏面３４ａに取り付けられるものである。まず、壁ボード３４にはコンセント等を取り付ける矩形の開口部３６が設けられている。はさみ金具２０の本体２２は、開口部３６の周縁部を半周するコの字形状であり、一対の端部２２ａは開口部３６の上端縁部３６ａまたは下端縁部３６ｂのそれぞれ中心に位置し、上端縁部３６ａまたは下端縁部３６ｂから開口部３６の内側へ凸部２４が露出して突出し、壁ボード３４の表面３４ｂ側から見ることができる。
【００１８】
壁ボード３４の表面３４ｂには、取付板３８が取り付けられる。取付板３８は、壁ボード３４の開口部３６に嵌合される大きさの枠体４０が設けられ、枠体４０の内側は開口部４２となっている。枠体４０の上端縁部４０ａと下端縁部４０ｂには、水平方向に長い長丸形の透孔４４が各々設けられている。上端縁部４０ａと下端縁部４０ｂには、それぞれの中心に上方または下方に突出する取付部４６が各々設けられ、取付部４６の中心には円形の螺孔４８が形成されている。
【００１９】
取付板３８の室内側にはカバープレート５０が取り付けられる。カバープレート５０は、壁ボード３４の開口部３６と、取付板３８を覆う大きさの板体５２が設けられている。板体５２の、取付板３８の開口部４２に対向する部分には、配線器具のスイッチ等に対応して、矩形の開口部５４が１，２個形成されている。板体５２の、取付板３８の螺孔４８に対向する部分には、透孔５６が形成されている。
【００２０】
次に、はさみ金具２０を壁ボード３４に取り付ける工程について説明する。壁ボード３４の開口部３６から、はさみ金具２０を裏面３４ａ側へ入れ、一対の凸部２４が上端縁部３６ａと下端縁部３６ｂのそれぞれ中心付近から見える位置に指で押える。この状態で、両面テープ３２が壁ボード３４の裏面３４ａに貼付され、爪部３０が裏面３４ａに食い込む。これにより、はさみ金具２０は壁ボード３４から脱落しない状態となる。
【００２１】
次に、取付板３８を壁ボード３４の表面３４ｂに当て、取付板３８の透孔４４とはさみ金具２０の凸部２４の螺孔２６にネジ５８を差し込んで締め、壁ボード３４をはさみ金具２０と取付板３８で挟持して保持する。そして取付板３８の室内側にカバープレート５０を当て、取付板３８の螺孔４８とカバープレート５０の透孔５６にネジ６０を差し込んで取付板３８に固定する。
【００２２】
この実施形態のはさみ金具２０によれば、簡単な構造で確実に壁ボード３４に壁ボード３４が仮止めされ、落下による紛失を防ぎ、作業性を高め、落下による無駄をなくすことができる。コンセント等を壁に取り付ける作業は、はさみ金具２０から手を離してネジ５８を回すことができ、また、ネジ５８を回すときの連れ回りを防ぎ、作業効率が向上する。ネジ５８を完全に締めると、爪部３０が壁ボード３４に食い込み、確実に固定される。また配線器具を外すときも、はさみ金具２０は壁ボード３４の裏面３４ａに仮止めされているので落下することが無く、回収して再利用することができ、経済的である。
【００２３】
なお、はさみ金具２０の爪形成板２８は上記の形態に限定されず、図４に示す爪形成板６２でもよい。爪形成板６２は、一方向に長い矩形の金属板であり、爪形成板６２の両端部近傍には、放射状に交差する切断線が設けられ、この切断線で区切られた扇形の舌片を略直角に折り曲げて立設して、三角形の爪部６４が設けられている。爪部６４は例えば５個が切断線を囲む円周上に並んで設けられている。爪部６４の数や長さは自由に変更可能である。爪部６４は、爪形成板６２の両端部付近にそれぞれ設けられ、爪部６４の間に両面テープ３２が貼付されている。
【００２４】
また爪部は、はさみ金具の本体から一体に形成されたものでも良く、よりコストを安価に形成することができる。
【００２５】
さらに、この発明は上記実施の形態に限定されず、各部材の材質や形状は適宜変更可能であり、はさみ金具の本体は、コの字形以外に環状の枠体でもよい。コンセント以外にスイッチ等、いろいろな用途に使用可能である。使用する場所は、壁以外に床や天井でもよい。
【図面の簡単な説明】
【００２６】
【図１】この発明の一実施形態のはさみ金具の使用状態を示す分解斜視図である。
【図２】この実施形態のはさみ金具を示す正面図である。
【図３】この実施形態のはさみ金具の爪形成板を示す分解斜視図である。
【図４】この実施形態のはさみ金具の爪形成板の変形例を示す斜視図である。
【図５】従来の技術のはさみ金具の使用状態を示す分解斜視図である。
【符号の説明】
【００２７】
２０  はさみ金具
２２  本体
２４  凸部
２６  螺孔
２８  爪形成板
３０  爪部
３２  両面テープ
３４  壁ボード
３８  取付板
５０  カバープレート
【図１】
2008240797.tif 000003
【図２】
2008240797.tif 000004
【図３】
2008240797.tif 000005
【図４】
2008240797.tif 000006
【図５】
2008240797.tif 000007